(57)【特許請求の範囲】
【請求項１】
移動可能であって貨幣を取り出し可能に収納する貨幣処理子機と、
閉鎖状態で前記貨幣処理子機へのアクセスを規制する開閉部材を有する規制手段と、
前記貨幣処理子機と通信可能な貨幣処理親機と、を備え、
前記貨幣処理親機は、
前記貨幣処理子機に貨幣処理指令信号を出力し、
前記貨幣処理子機は前記貨幣処理指令信号に基づいて貨幣の取り出しおよび収納が可能になり、
前記規制手段は、操作者識別情報を入力する識別情報入力手段を有しており、該識別情報入力手段に入力された操作者識別情報の認証後に前記開閉部材の開放が可能となることを特徴とする貨幣処理システム。
【請求項２】
前記貨幣処理親機は、
前記規制手段と通信可能であって、前記貨幣処理子機に前記貨幣処理指令信号を出力する際に、前記規制手段に許可者識別情報を送信し、
前記規制手段は、前記識別情報入力手段に入力された操作者識別情報が前記許可者識別情報である場合に、前記開閉部材の開放が可能となることを特徴とする請求項１記載の貨幣処理システム。
【請求項３】
前記規制手段は、前記貨幣処理子機を取り出し可能に保管する保管装置であって、該保管装置に収納された前記貨幣処理子機は、前記開閉部材が開かれると前記保管装置に収納された状態のまま貨幣の取り出しおよび収納が可能であることを特徴とする請求項１または２記載の貨幣処理システム。
【請求項４】
前記規制手段は、前記開閉部材を有して前記貨幣処理子機を取り出し可能に保管する金庫室と、前記貨幣処理親機と通信可能であって前記開閉部材を開放可能な鍵を管理する鍵管理装置と、を有することを特徴とする請求項１または２記載の貨幣処理システム。
【請求項５】
前記規制手段は、前記開閉部材が前記貨幣処理子機の操作部を覆っており、前記貨幣処理親機と通信可能であって前記開閉部材を開放可能な鍵を管理する鍵管理装置を有することを特徴とする請求項１または２記載の貨幣処理システム。
【請求項６】
移動可能であって貨幣を取り出し可能に収納すると共に貨幣処理指令信号に基づいて貨幣の取り出しおよび収納が可能になる貨幣処理子機と、
閉鎖状態で前記貨幣処理子機へのアクセスを規制する開閉部材および識別情報入力手段を有し該識別情報入力手段に入力された操作者識別情報が許可者識別情報である場合に、前記開閉部材の開放が可能となる規制手段と、
前記貨幣処理子機および前記規制手段と通信可能な貨幣処理親機と、
を備える貨幣処理システム用の前記貨幣処理親機として動作可能な貨幣管理装置であって、
前記貨幣処理子機に前記貨幣処理指令信号を出力すると共に前記規制手段に前記許可者識別情報を送信することを特徴とする貨幣処理装置。
【請求項７】
移動可能であって貨幣を取り出し可能に収納する貨幣処理子機と、
閉鎖状態で前記貨幣処理子機へのアクセスを規制する開閉部材および識別情報入力手段を有する規制手段と、
前記貨幣処理子機と通信可能な貨幣処理親機と、を備え、
前記貨幣処理親機は、前記貨幣処理子機に貨幣処理指令信号を出力し、
前記貨幣処理子機は、前記貨幣処理指令信号に基づいて貨幣の取り出しおよび収納が可能になる貨幣処理システムの貨幣処理方法であって、
前記識別情報入力手段に入力された操作者識別情報の認証後に前記規制手段の前記開閉部材を開放可能とすることを特徴とする貨幣処理方法。
【請求項８】
前記貨幣処理親機から前記貨幣処理子機に前記貨幣処理指令信号を出力する際に前記規制手段に許可者識別情報を送信し、
前記識別情報入力手段に入力された操作者識別情報が前記許可者識別情報である場合に、前記開閉部材を開放可能とすることを特徴とする請求項７記載の貨幣処理方法。
【発明の詳細な説明】
【技術分野】
【０００１】
本発明は、貨幣処理システム、貨幣処理装置および貨幣処理方法に関する。
【背景技術】
【０００２】
通帳、大束紙幣、小束紙幣、棒金およびバラ紙幣等を収納し保管する重要物管理装置と、主に貨幣を収納し保管すると共に金融機関等の店舗全体の在高データを管理する出納機とを通信可能に接続したシステムがある（例えば特許文献１，２参照）。また、小束紙幣および棒金を収納し保管する現金管理装置を出納機と通信可能に接続したシステムがある（例えば特許文献３参照）。
【先行技術文献】
【特許文献】
【０００３】
【特許文献１】特開２０１３−９７６１１号公報
【特許文献２】特開２０１５−１４１４７０号公報
【特許文献３】特開２０１５−１９１４８６号公報
【発明の概要】
【発明が解決しようとする課題】
【０００４】
ところで、現金管理装置を有する貨幣処理システムにおいて、セキュリティ性を確保しつつ、利便性を高くすることが求められている。
【０００５】
本発明は、上記の点に鑑みなされたもので、セキュリティ性を確保しつつ、利便性を高くすることができる貨幣処理システム、貨幣処理装置および貨幣処理方法の提供を目的とする。
【課題を解決するための手段】
【０００６】
上記目的を達成するために、本発明に係る第１の態様は、移動可能であって貨幣を取り出し可能に収納する貨幣処理子機と、閉鎖状態で前記貨幣処理子機へのアクセスを規制する開閉部材を有する規制手段と、前記貨幣処理子機と通信可能な貨幣処理親機と、を備え、前記貨幣処理親機は、前記貨幣処理子機に貨幣処理指令信号を出力し、前記貨幣処理子機は前記貨幣処理指令信号に基づいて貨幣の取り出しおよび収納が可能になり、前記規制手段は、操作者識別情報を入力する識別情報入力手段を有しており、該識別情報入力手段に入力された操作者識別情報の認証後に前記開閉部材の開放が可能となることを特徴とする。
【０００７】
上記第１の態様によれば、移動可能であって貨幣を取り出し可能に収納する貨幣処理子機に、貨幣処理親機が貨幣処理指令信号を出力すると、貨幣処理子機は貨幣処理指令信号に基づいて貨幣の取り出しおよび収納が可能な状態になるが、規制手段の開閉部材が閉鎖状態にあると貨幣処理子機へのアクセスが規制されることになる。識別情報入力手段に入力された操作者識別情報が認証されると開閉部材の開放が可能となって、貨幣処理子機へのアクセスが可能となり、貨幣処理子機の実際の貨幣の取り出しおよび収納が可能になる。よって、規制手段で操作者識別情報を認証するため、セキュリティ性を確保することができる。また、識別情報入力手段に操作者識別情報を入力させれば、開閉部材を開放して貨幣処理子機へアクセスできるため、貨幣処理子機での面倒な操作を減らすことが可能となり、利便性を高くすることができる。
【０００８】
本発明に係る第２の態様は、上記第１の態様において、前記貨幣処理親機は、前記規制手段と通信可能であって、前記貨幣処理子機に前記貨幣処理指令信号を出力する際に、前記規制手段に許可者識別情報を送信し、前記規制手段は、前記識別情報入力手段に入力された操作者識別情報が前記許可者識別情報である場合に、前記開閉部材の開放が可能となることを特徴とする。
【０００９】
上記第２の態様によれば、貨幣処理親機が、貨幣処理子機に貨幣処理指令信号を出力する際に、規制手段に許可者識別情報を送信することになり、規制手段は、識別情報入力手段に入力された操作者識別情報が許可者識別情報である場合に、開閉部材の開放が可能となる。よって、セキュリティ性をより高めることができる。
【００１０】
本発明に係る第３の態様は、上記第１または第２の態様において、前記規制手段は、前記貨幣処理子機を取り出し可能に保管する保管装置であって、該保管装置に収納された前記貨幣処理子機は、前記開閉部材が開かれると前記保管装置に収納された状態のまま貨幣の取り出しおよび収納が可能であることを特徴とする。
【００１１】
上記第３の態様によれば、規制手段は、貨幣処理子機を取り出し可能に保管する保管装置であるため、金庫室がなくても高いセキュリティ性で貨幣処理子機を保管することができる。また、保管装置に収納された貨幣処理子機は、開閉部材が開かれると保管装置に収納された状態のままでも貨幣の取り出しおよび収納が可能であるため、貨幣処理親機による貨幣処理指令信号の出力後に、保管装置の開閉部材を開ければ、貨幣処理子機を保管装置から取り出さなくても貨幣処理指令信号に基づいた貨幣の取り出しおよび収納が可能になる。
【００１２】
本発明に係る第４の態様は、上記第１または第２の態様において、前記規制手段は、前記開閉部材を有して前記貨幣処理子機を取り出し可能に保管する金庫室と、前記貨幣処理親機と通信可能であって前記開閉部材を開放可能な鍵を管理する鍵管理装置と、を有することを特徴とする。
【００１３】
上記第４の態様によれば、鍵管理装置が識別情報入力手段に入力された操作者識別情報を認証した場合に、金庫室の開閉部材の鍵が取り外し可能となる。これにより、金庫室の開閉部材の開放が可能となる。よって、より高いセキュリティ性で貨幣処理子機を保管することができる。
【００１４】
本発明に係る第５の態様は、上記第１または第２の態様において、前記規制手段は、前記開閉部材が前記貨幣処理子機の操作部を覆っており、前記貨幣処理親機と通信可能であって前記開閉部材を開放可能な鍵を管理する鍵管理装置を有することを特徴とする。
【００１５】
上記第５の態様によれば、鍵管理装置が識別情報入力手段に入力された操作者識別情報を認証した場合に、貨幣処理子機の操作部を覆う開閉部材の鍵が取り外し可能となる。これにより、貨幣処理子機の操作部を覆う開閉部材の開放が可能となる。よって、簡素な構造でセキュリティ性を確保することができる。
【００１６】
本発明に係る第６の態様は、移動可能であって貨幣を取り出し可能に収納すると共に貨幣処理指令信号に基づいて貨幣の取り出しおよび収納が可能になる貨幣処理子機と、閉鎖状態で前記貨幣処理子機へのアクセスを規制する開閉部材および識別情報入力手段を有し該識別情報入力手段に入力された操作者識別情報が許可者識別情報である場合に、前記開閉部材の開放が可能となる規制手段と、前記貨幣処理子機および前記規制手段と通信可能な貨幣処理親機と、を備える貨幣処理システム用の前記貨幣処理親機として動作可能な貨幣管理装置であって、前記貨幣処理子機に前記貨幣処理指令信号を出力すると共に前記規制手段に前記許可者識別情報を送信することを特徴とする。
【００１７】
上記第６の態様によれば、貨幣処理子機に貨幣処理指令信号を出力する際に、規制手段に許可者識別情報を送信することになり、規制手段は、識別情報入力手段に入力された操作者識別情報が許可者識別情報である場合に、開閉部材の開放が可能となる。よって、セキュリティ性を高めることができる。
【００１８】
本発明に係る第７の態様は、移動可能であって貨幣を取り出し可能に収納する貨幣処理子機と、閉鎖状態で前記貨幣処理子機へのアクセスを規制する開閉部材および識別情報入力手段を有する規制手段と、前記貨幣処理子機と通信可能な貨幣処理親機と、を備え、前記貨幣処理親機は、前記貨幣処理子機に貨幣処理指令信号を出力し、前記貨幣処理子機は、前記貨幣処理指令信号に基づいて貨幣の取り出しおよび収納が可能になる貨幣処理システムの貨幣処理方法であって、前記識別情報入力手段に入力された操作者識別情報の認証後に前記規制手段の前記開閉部材を開放可能とすることを特徴とする。
【００１９】
上記第７の態様によれば、移動可能であって貨幣を取り出し可能に収納する貨幣処理子機に、貨幣処理親機が貨幣処理指令信号を出力すると、貨幣処理子機は貨幣処理指令信号に基づいて貨幣の取り出しおよび収納が可能な状態になるが、規制手段の開閉部材が閉鎖状態にあると貨幣処理子機へのアクセスが規制されることになる。識別情報入力手段に入力された操作者識別情報が認証されると開閉部材の開放が可能となって、貨幣処理子機へのアクセスが可能となり、貨幣処理子機の実際の貨幣の取り出しおよび収納が可能になる。よって、規制手段で操作者識別情報を認証するため、セキュリティ性を確保することができる。また、規制手段の識別情報入力手段に操作者識別情報を入力させれば、開閉部材を開放して貨幣処理子機へアクセスできるため、貨幣処理子機での面倒な操作を減らすことが可能となり、利便性を高くすることができる。
【００２０】
本発明に係る第８の態様は、上記第７の態様において、前記貨幣処理親機から前記貨幣処理子機に前記貨幣処理指令信号を出力する際に前記規制手段に許可者識別情報を送信し、前記識別情報入力手段に入力された操作者識別情報が前記許可者識別情報である場合に、前記開閉部材を開放可能とすることを特徴とする。
【００２１】
上記第８の態様によれば、貨幣処理親機が、貨幣処理子機に貨幣処理指令信号を出力する際に、規制手段に許可者識別情報を送信することになり、規制手段は、識別情報入力手段に入力された操作者識別情報が許可者識別情報である場合に、開閉部材の開放が可能となる。よって、セキュリティ性をより高めることができる。
【発明の効果】
【００２２】
本発明によれば、セキュリティ性を確保しつつ、利便性を高くすることができる貨幣処理システム、貨幣処理装置および貨幣処理方法を提供することができる。
【図面の簡単な説明】
【００２３】
【図１】本発明の第１，第２実施形態に係る貨幣処理システムを示す構成図である。
【図２】本発明の第１，第２実施形態に係る貨幣処理システムを示すブロック図である。
【図３】本発明の第１，第２実施形態に係る貨幣処理システムの現金管理装置を示す斜視図である。
【図４】本発明の第１，第２実施形態に係る貨幣処理システムの現金管理装置を構成する束紙幣収納庫を示す斜視図である。
【図５】本発明の第１，第２実施形態に係る貨幣処理システムの現金管理装置を構成する棒金収納庫を示す斜視図である。
【図６】本発明の第１，第２実施形態に係る貨幣処理システムの現金管理装置の重要物管理金庫への収納状態を示す図である。
【図７】本発明の第３実施形態に係る貨幣処理システムを構成する金庫室等を示す平面図である。
【図８】本発明の第３実施形態に係る貨幣処理システムを示すブロック図である。
【図９】本発明の第４実施形態に係る貨幣処理システムの現金管理装置を示す斜視図である。
【発明を実施するための形態】
【００２４】
［第１実施形態］
本発明の第１実施形態に係る貨幣処理システムを図１〜図６を参照して以下に説明する。
【００２５】
第１実施形態に係る貨幣処理システム１は、銀行等の金融機関の店舗に設置されるものであり、図１に示すように、出納機２（貨幣処理親機）と、重要物管理金庫３（規制手段）と、現金管理装置４（貨幣処理子機）とを有している。
【００２６】
出納機２は、金融機関等の店舗の建屋の例えば執務室のフロア上に設置されるものであり、店舗全体の貨幣の全体在高データを管理する貨幣処理親機となっている。出納機２は、貨幣の入出金が可能であり、自身に収納している貨幣および小切手等の在高である出納機在高データを記憶している。この出納機在高データは、出納機２で行われる貨幣の入出金処理によって増減する。
【００２７】
重要物管理金庫３は、金融機関等の店舗の建屋の例えば執務室のフロアに設置されるオープン型のものであり、出納機２によって在高データが管理される下位機としての貨幣管理中間機となっている。重要物管理金庫３は、簡易設置型の保管装置であり、保管状態にある物品へのアクセスを規制する。重要物管理金庫３は、自身に収納している貨幣および小切手等の在高である管理金庫在高データを記憶している。この管理金庫在高データは、重要物管理金庫３への操作入力によって増減する。重要物管理金庫３は、無線あるいは有線で出納機２と通信可能であり、管理金庫在高データを出納機２に送信可能となっている。
【００２８】
現金管理装置４は、フロアを走行移動可能であり、図２に示すテラー用の窓口機７、顧客用の現金自動預払機８、両替機９等の他の貨幣処理機と共に出納機２によって在高が管理される下位機としての貨幣処理子機となっている。現金管理装置４は、貨幣および小切手等を取り出し可能に収納し自身に収納している貨幣および小切手等の在高である管理装置在高データを記憶している。この管理装置在高データは、現金管理装置４における貨幣の入出金処理によって増減する。現金管理装置４は、無線あるいは有線で接続することにより出納機２と通信可能であり、管理装置在高データを出納機２に送信可能となっている。
【００２９】
窓口機７は、貨幣の入出金の計数値から自身に収納している貨幣の在高である窓口機在高データを記憶している。この窓口機在高データは、窓口機７における貨幣の入出金処理によって増減する。窓口機７は、無線あるいは有線で出納機２と通信可能であり、窓口機在高データを出納機２に送信可能となっている。
【００３０】
現金自動預払機８は、貨幣の入出金の計数値から自身に収納している貨幣の在高であるＡＴＭ在高データを記憶している。このＡＴＭ在高データは、現金自動預払機８における貨幣の入出金処理によって増減する。現金自動預払機８は、無線あるいは有線で出納機２と通信可能であり、ＡＴＭ在高データを出納機２に送信可能となっている。
【００３１】
両替機９は、貨幣の出金の計数値から自身に収納している貨幣の在高である両替機在高データを記憶している。この両替機在高データは、両替機９における貨幣の補充処理および出金処理によって増減し、両替処理で金種変更する。両替機９は、無線あるいは有線で出納機２と通信可能であり、両替機在高データを出納機２に送信可能となっている。
【００３２】
現金管理装置４は、図３に示すように、箱型の現金管理装置本体１１とこの現金管理装置本体１１に上下方向に複数段具体的には５段設けられた収納庫１２とを有している。これら収納庫１２は、その左右側壁に設けられた図示略のスライドレールを介して現金管理装置本体１１に対して水平前後方向にスライド開閉可能となっている。これら収納庫１２は、現金管理装置本体１１から引き出されて開状態となり、現金管理装置本体１１に押し込まれて閉鎖状態となる。すべての収納庫１２が、このように前後方向にのみ所定範囲で移動可能となるように現金管理装置本体１１に連結されている。これら収納庫１２は、開状態で現金が出し入れ可能となる一方、閉鎖状態では現金の出し入れが不可となる。現金管理装置４において収納庫１２の引き出し方向の手前側の面が操作者側の装置前面となっている。
【００３３】
複数段の収納庫１２のうち、最も上側のものは、予備収納庫１２（ａ）となっており、結束されていないバラ紙幣、包装されていないバラ硬貨、汚損紙幣や汚損硬貨、新券、小切手等を収納する。また、残りの収納庫１２は、上側２段が小束紙幣や大束紙幣を収納する束紙幣収納庫１２（ｂ）となっており、下側２段が棒金を収納する棒金収納庫１２（ｃ）となっている。勿論、収納庫１２の全体の数や、そのうちの束紙幣収納庫１２（ｂ）および棒金収納庫１２（ｃ）の個々の数、レイアウト等は任意に設定可能であり、例えば、予備収納庫１２（ａ）以外の全てを、束紙幣収納庫１２（ｂ）としたり、棒金収納庫１２（ｃ）としたり、上側２段を棒金収納庫１２（ｃ）とし下側２段を束紙幣収納庫１２（ｂ）とすることも勿論可能である。ただし、現金管理装置４は、人力によりフロア上を走行移動させられることから、予備収納庫１２（ａ）を１段、束紙幣収納庫１２（ｂ）を２段、棒金収納庫１２（ｃ）を２段程度とするのが重量的に好ましい。
【００３４】
現金管理装置本体１１の上部の装置後面側には、現金管理装置４を移動させる際に操作者により把持されるハンドルバー１５が左右方向に延在して取り付けられている。現金管理装置本体１１の上部には、ハンドルバー１５よりも装置前面側に、揺動可能なタッチパネル式の現金管理操作表示部１６が設けられており、現金管理操作表示部１６よりも装置前面側に、現金管理カードリーダ１７と、テンキーを含む着脱式の現金管理キー操作部１８とが設けられている。現金管理操作表示部１６は、操作者により操作入力が行われると共に操作者に表示を行うものであり、現金管理キー操作部１８は、操作者により操作入力が行われるものである。現金管理カードリーダ１７は操作者により通されたカードから記憶データを読み取るものであり、言い換えれば、カードを介してその記憶データが入力されるものである。
【００３５】
現金管理装置本体１１の下部には、フロア上で転動するローラ３７を有するキャスタ３８が四隅位置に設けられている。すべてのキャスタ３８は、ローラ３７が鉛直軸を中心に水平旋回自在となっており、ローラ３７が水平軸を中心に回転可能となっている。
【００３６】
現金管理装置本体１１には、全ての収納庫１２のそれぞれに対して、収納庫１２を閉鎖状態で個別にロックする図２に示す収納庫ロック機構２２が設けられている。例えば、収納庫ロック機構２２は、複数の収納庫１２のそれぞれに設けられて収納庫１２を現金管理装置本体１１に閉鎖状態で電磁的にロックする。図３に示すように、現金管理装置本体１１には、複数の収納庫１２のそれぞれの側方に、収納庫ロック機構２２のロック解除時のみ点灯する表示灯２３が設けられている。
【００３７】
現金管理装置本体１１には、図２に示すように、現金管理操作表示部１６、現金管理カードリーダ１７、現金管理キー操作部１８、収納庫ロック機構２２および表示灯２３に接続されてこれらを制御する現金管理制御部２５と、収納しているバラ紙幣、バラ硬貨、棒金、小束紙幣および小切手等のそれぞれの数量情報および種類情報や処理関連のデータ等を記憶する現金管理記憶部２６と、が設けられている。現金管理制御部２５は、複数の収納庫ロック機構２２のロックを個別に解除可能となっており、現金管理記憶部２６を用いて複数の収納庫１２の現金の収納量つまり在高を個別に管理する。
【００３８】
各収納庫１２と現金管理装置本体１１との間には、現金管理装置本体１１に対する各収納庫１２の引き出し位置を検出する引出位置検出機構３５が設けられている。引出位置検出機構３５は、各収納庫１２が現金管理装置本体１１に最も押し込まれた全閉位置にあること、および、収納庫１２が現金管理装置本体１１から最も引き出された全開位置にあることを含んで各収納庫１２の引き出し位置を検出する。
【００３９】
図４に示すように、束紙幣収納庫１２（ｂ）は、結束された小束紙幣Ｔを入出庫可能に収納するもので、複数、具体的には前後に３つ配列された合成樹脂製の小束トレイ４０を有している。小束紙幣Ｔは、単一金種の紙幣（貨幣）を所定枚数（１００枚）集積し、規定位置に結束テープｔを巻回して、この結束テープｔを接着することで形成されるものである。各小束トレイ４０には１０束の小束紙幣Ｔが収納可能であり、１０束の小束紙幣Ｔを結束した大束紙幣を収納することもできる。また、小束トレイ４０の左スペースに後述する棒金トレイを前後に金種径に応じて４つまたは３つ備えるようにしてもよい。
【００４０】
各小束トレイ４０は、上方に開口し下方に凹む形状をなすトレイ本体４１と、トレイ本体４１に、その後壁部４２と平行を維持しつつ前後移動可能に設けられた札押さえ板４３と、札押さえ板４３を後壁部４２に向けて付勢する図示略の付勢部材とを有している。各小束トレイ４０には、小束紙幣Ｔが、その長辺方向を左右にし短辺方向を上下にし厚さ方向を前後にした立位状態で、上方から挿入されることになり、小束紙幣Ｔは、この立位状態のまま、底部に載置され、後壁部４２と札押さえ板４３とに挟持されて収納されることになる。各小束トレイ４０に収納すべき設定金種を示す収納金種データは、予め設定されて現金管理記憶部２６に記憶されることになる。
【００４１】
図５に示すように、棒金収納庫１２（ｃ）は、単一金種の硬貨（貨幣）が所定枚数（５０枚）集積されて包装紙で包装されてなる棒金Ｂを入出庫可能に収納するもので、複数、具体的には、前後に金種径に応じて４つまたは３つ、左右に３列の合成樹脂製の棒金トレイ５０を有している。
【００４２】
棒金トレイ５０は、棒金Ｂが中心軸線を上下にした立位状態で収納されるものである。棒金トレイ５０は、下方に凹む上方開口形状の棒金収納凹部５１を構成している。棒金トレイ５０の棒金収納凹部５１には、例えば、合計１０本の棒金Ｂが５本ずつセパレートで収納されるようになっている。棒金Ｂは、棒金収納凹部５１に、その上部開口を介して上方から挿入されることになる。棒金収納凹部５１に１０本の棒金Ｂが収納されると、１０本の棒金Ｂは棒金収納凹部５１および他の棒金Ｂで支持されて中心軸線を鉛直配置した立位状態に維持される。ここで、最前列の棒金トレイ５０は、端数用となっており、棒金Ｂの転倒防止用の複数の補助棒５２が立設されていて、収納本数が不足した状態でも棒金Ｂを倒さずに収納可能となっている。各棒金トレイ５０に収納すべき設定金種を示す収納金種データは、予め設定されて現金管理記憶部２６に記憶されることになる。
【００４３】
現金管理装置本体１１の各束紙幣収納庫１２（ｂ）が挿入される部分の上部の前端部には、束紙幣収納庫１２（ｂ）の左右２列の小束トレイ４０のそれぞれの上方近接位置に、束紙幣収納庫１２（ｂ）に収納された小束紙幣Ｔの左端位置を検出する図２に示す左端検出ラインセンサ６１、小束紙幣Ｔの左側に結束テープｔつまり帯がある場合にこれを検出する左側帯検出ラインセンサ６２、小束紙幣Ｔの右側に結束テープｔがある場合にこれを検出する右側帯検出ラインセンサ６３および小束紙幣Ｔの右端位置を検出する右端検出ラインセンサ６４が、それぞれ検出素子を左右方向に並べた状態で固定されている。
【００４４】
束紙幣収納庫１２（ｂ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、各列用の左端検出ラインセンサ６１、左側帯検出ラインセンサ６２、右側帯検出ラインセンサ６３および右端検出ラインセンサ６４が、この束紙幣収納庫１２（ｂ）に収納された小束紙幣Ｔの上端部の反射光データを取得することになる。
【００４５】
現金管理制御部２５は、引出位置検出機構３５の検出結果と、左端検出ラインセンサ６１、左側帯検出ラインセンサ６２、右側帯検出ラインセンサ６３および右端検出ラインセンサ６４の検出結果とに基づいて束紙幣収納庫１２（ｂ）内の小束紙幣Ｔの数量および金種を取得する。すなわち、現金管理制御部２５は、右側帯検出ラインセンサ６３および右端検出ラインセンサ６４の検出結果から帯の数つまり束数を取得し、左端検出ラインセンサ６１および左側帯検出ラインセンサ６２の検出結果から長さつまり金種を取得する。このようにして、現金管理制御部２５は、各束紙幣収納庫１２（ｂ）内の小束紙幣Ｔの各金種別の束数、合計金額等の在高を管理する。
【００４６】
棒金トレイ５０の各棒金収納位置の底部には、棒金Ｂの有無および材質を検出する磁気センサからなる棒金検出センサ６８がそれぞれ設けられている。現金管理制御部２５は、各棒金検出センサ６８の検出結果から、棒金収納庫１２（ｃ）内の棒金Ｂの数量および金種を取得する。このようにして、現金管理制御部２５は、各棒金収納庫１２（ｃ）内の棒金Ｂの各金種別の本数、合計金額等の在高を管理する。
【００４７】
現金管理制御部２５は、予備収納庫１２（ａ）の在高については、予備収納庫１２（ａ）へのバラ紙幣、バラ硬貨、小切手等の入出庫を含む入出取引の際に、現金管理操作表示部１６を介して入力される、バラ紙幣の入庫数、バラ紙幣の出庫数、バラ硬貨の入庫数およびバラ硬貨の出庫数等に基づいて在高を管理する。
【００４８】
また、現金管理装置本体１１には、全ての収納庫１２のそれぞれに対して、収納庫１２を閉鎖状態で個別にロックする上記した収納庫ロック機構２２が設けられている。各収納庫ロック機構２２は、それぞれ、給電されるとロックを解除して対応する収納庫１２を引き出し可能とし開作動を許容する状態となる。また、各収納庫ロック機構２２は、それぞれ、対応する収納庫１２の引き出し後に給電が停止されることになり、その後は、対応する収納庫１２が全閉位置に戻されると収納庫１２を引き出し不可に自動的かつ機械的にロックする。
【００４９】
現金管理装置４は、操作者が、例えば、他の入出金機に現金を補充したり、顧客に現金を渡したり、顧客から預かった現金を収納したり、顧客から受け取った現金貨幣を同額の異金種の貨幣へ両替する際等に使用される。つまり、現金管理装置４は、操作者が、バラ硬貨、バラ紙幣、棒金Ｂおよび小束紙幣Ｔのうちの少なくともいずれか一つを現金管理装置４から取り出す出庫時、現金管理装置４にバラ硬貨、バラ紙幣、棒金Ｂおよび小束紙幣Ｔのうちの少なくともいずれか一つを収納する入庫時、および入庫と出庫とを同時並行で行う入庫・出庫時のいずれかからなる入出取引時に使用される。
【００５０】
まず、入出取引の開始にあたって、現金管理カードリーダ１７にＩＤカードが通されると、現金管理カードリーダ１７にはＩＤカードから操作者ＩＤ（操作者識別情報）が入力され、現金管理カードリーダ１７は、この操作者ＩＤを現金管理制御部２５に出力する。すると、現金管理制御部２５が、入力された操作者ＩＤが現金管理記憶部２６に記憶された管理装置操作者ＩＤリストにあって適正であるか、管理装置操作者ＩＤリストになく適正でないかを判定する。入力された操作者ＩＤが適正であると、この操作者ＩＤを認証することになり、この場合、現金管理制御部２５は、入出取引のデータ入力を促す表示を、現金管理操作表示部１６に表示させる。これを見た操作者によって現金管理操作表示部１６にデータ入力が行われて最後に現金管理操作表示部１６に完了操作が入力されると、現金管理制御部２５は、この入出取引のデータを現金管理記憶部２６に記憶させる。現金管理装置４におけるＩＤ認証として、磁気カードやＩＣカード等のＩＤカードから操作者ＩＤを入力させる以外にも、種々の認証手段を採用することができ、操作者の指紋あるいは静脈等の生体情報を用いた認証手段であってもよいし、これらを併用してもよい。
【００５１】
そして、現金管理制御部２５は、この入出取引にて入力されたデータに基づいて、予備収納庫１２（ａ）、全ての束紙幣収納庫１２（ｂ）および全ての棒金収納庫１２（ｃ）の中から、この入出取引にて現金が入出庫される対象収納庫１２をロックしている収納庫ロック機構２２のロックを解除して、対象収納庫１２を現金管理装置本体１１から引き出し可能とする。
【００５２】
例えば、この入出取引にて入力されたデータに、バラ紙幣およびバラ硬貨の少なくともいずれか一方に関するものが含まれる場合、現金管理制御部２５は、予備収納庫１２（ａ）を対象収納庫１２とし、この予備収納庫１２（ａ）をロックしている収納庫ロック機構２２のロックを解除する。これにより、この予備収納庫１２（ａ）が現金管理装置本体１１から引き出し可能となる。それと共に、現金管理制御部２５は、この予備収納庫１２（ａ）用のその側方にある表示灯２３を点灯させる。
【００５３】
また、例えば、この入出取引にて入力されたデータに、小束紙幣Ｔに関するものが含まれる場合、現金管理制御部２５は、含まれる金種の小束紙幣Ｔを収納している束紙幣収納庫１２（ｂ）を対象収納庫１２とし、この束紙幣収納庫１２（ｂ）をロックしている収納庫ロック機構２２のロックを解除する。これにより、この束紙幣収納庫１２（ｂ）が現金管理装置本体１１から引き出し可能となる。それと共に、現金管理制御部２５は、この束紙幣収納庫１２（ｂ）用のその側方にある表示灯２３を点灯させる。
【００５４】
また、例えば、この入出取引にて入力されたデータに、棒金Ｂに関するものが含まれる場合、現金管理制御部２５は、含まれる金種の棒金Ｂを収納している棒金収納庫１２（ｃ）を対象収納庫１２とし、この棒金収納庫１２（ｃ）をロックしている収納庫ロック機構２２のロックを解除する。これにより、この棒金収納庫１２（ｃ）が現金管理装置本体１１から引き出し可能となる。それと共に、現金管理制御部２５は、この棒金収納庫１２（ｃ）用のその側方にある表示灯２３を点灯させる。
【００５５】
操作者は、対象収納庫１２を引き出し開状態として、現金を取り出したり装填したりする入出庫作業を行う。
【００５６】
例えば、対象収納庫１２が一の束紙幣収納庫１２（ｂ）である場合、現金管理制御部２５は、この一の束紙幣収納庫１２（ｂ）をロックしている収納庫ロック機構２２を駆動してロックを解除すると共に、この一の束紙幣収納庫１２（ｂ）用の表示灯２３を点灯させることになる。そして、この一の束紙幣収納庫１２（ｂ）の現金管理装置本体１１からの引き出しが開始されたことを引出位置検出機構３５の検出結果から検出すると、この一の束紙幣収納庫１２（ｂ）用の収納庫ロック機構２２の駆動を終了する。
【００５７】
その後、引出位置検出機構３５が、この一の束紙幣収納庫１２（ｂ）について、全開状態になったことを検出した後、閉方向の移動開始を検出すると、現金管理制御部２５は、この一の束紙幣収納庫１２（ｂ）に対して設けられた左端検出ラインセンサ６１、左側帯検出ラインセンサ６２、右側帯検出ラインセンサ６３および右端検出ラインセンサ６４の組の左右二組について、これらに給電してこれらによる反射光データの取り込みを開始させる。そして、引出位置検出機構３５がこの一の束紙幣収納庫１２（ｂ）が全閉鎖状態になったことを検出すると、現金管理制御部２５は、反射光データの取り込みを終了させると共に、この一の束紙幣収納庫１２（ｂ）用の表示灯２３を消灯させる。この一の束紙幣収納庫１２（ｂ）が全閉鎖状態になると、この一の束紙幣収納庫１２（ｂ）用の収納庫ロック機構２２がこれを自動的にロック状態になる。
【００５８】
そして、現金管理制御部２５は、上記した反射光データから、この一の束紙幣収納庫１２（ｂ）に収納された小束紙幣Ｔの金種別の数量データを取得して現金管理記憶部２６に記憶させると共に、この金種別の数量データと、現金管理記憶部２６に記憶されている前回のこの一の束紙幣収納庫１２（ｂ）の金種別の数量データとから、増減分を割り出す。そして、現金管理制御部２５は、この増減分を、今回の入出取引に対して入力されたデータと照合して差異があるか否かを判定し、差異がなければ、今回の入出取引の終了を判定する。
【００５９】
また、対象収納庫１２が一の棒金収納庫１２（ｃ）である場合、現金管理制御部２５は、この一の棒金収納庫１２（ｃ）について、引出位置検出機構３５が、全開状態になったことを検出した後、全閉鎖状態になったことを検出すると、この一の棒金収納庫１２（ｃ）用の表示灯２３を消灯させると共に、この一の棒金収納庫１２（ｃ）に対して設けられた棒金検出センサ６８に磁気データを取得させる。
【００６０】
そして、現金管理制御部２５は、上記した磁気データから、この一の棒金収納庫１２（ｃ）に収納された棒金Ｂの金種別の数量データを取得して現金管理記憶部２６に記憶させると共に、この金種別の数量データと、現金管理記憶部２６に記憶されている前回のこの一の棒金収納庫１２（ｃ）の金種別の数量データとから、増減分を割り出す。そして、現金管理制御部２５は、この増減分を、今回の入出取引に対して入力されたデータと照合して差異があるか否かを判定し、差異がなければ、今回の入出取引の終了を判定する。
【００６１】
重要物管理金庫３は、図１に示すように、コンポーネント化された複数個の保管庫１２１〜１２５が選択的に組み合わせられて一体に構成されてなるものである。保管庫１２１〜１２５は、被管理物の保管を行うもので、管理種別毎に設けられている。保管庫１２１〜１２５は、複数の大きさのものがある。また、保管庫１２１〜１２５は、必要に応じて耐火構造に構成される。
【００６２】
重要物管理金庫３は、前面側に引き出される引き出し開閉式の横方向に長い複数の保管庫１２１と、前面側に引かれて揺動する片側扉の揺動開閉式の縦方向に長い複数の保管庫１２２と、前面側に引かれて揺動する両側扉の揺動開閉式の縦方向に短い複数の保管庫１２３と、前面側に引かれて揺動する両側扉の揺動開閉式の縦方向に長い複数の保管庫１２４と、前面側に引かれて揺動する両側扉の揺動開閉式の縦方向に中間の長さの保管庫１２５と、を有している。保管庫１２１〜１２５には、被管理物として、大束紙幣、小束紙幣、棒金、バラ紙幣、バラ硬貨、通帳、鍵、カード、金券等が適宜収納される。
【００６３】
例えば、引き出し開閉式であって横方向に長い複数の保管庫１２１には、そのうちの一つの保管庫１２１（ａ）に、被管理物としての大束紙幣、小束紙幣、棒金およびバラ紙幣が収納され保管される。また、他の一つの保管庫１２１（ｂ）に、被管理物としてのバラ硬貨が収納され保管される。また、他の一つの保管庫１２１（ｃ）に通帳が収納され保管される。
【００６４】
また、両側扉の揺動開閉式の縦方向に長い複数の保管庫１２４のうち、最下段に設けられた一つの保管庫１２４（ａ）は、図６に示すように、現金管理装置４を収納し取り出し可能に保管する耐火構造の保管部となっている。保管庫１２４（ａ）が耐火構造であるため、現金管理装置４自体を耐火構造に構成しなくても、火災等の災害に対して現金管理装置４に収納された現金を安全に管理することができる。現金管理装置４を収納する保管庫１２４（ａ）は、扉１２６（開閉部材）が開かれることにより、現金管理装置４が出し入れされ、扉１２６が閉じられることにより現金管理装置４への操作者のアクセスを不可とする。現金管理装置４は、収納庫１２の引き出し方向を扉１２６側に向けた姿勢で保管庫１２４（ａ）に収納されることになる。このため、扉１２６が開かれると、現金管理装置４は、保管庫１２４（ａ）に収納された状態のままでも、現金管理操作表示部１６への操作入力と、すべての収納庫１２の前方への物理的な引き出しが可能となり、貨幣の取り出しおよび収納が可能となる。保管庫１２４（ａ）には、現金管理装置４が収納されると、この現金管理装置４に給電しその内蔵バッテリに充電する図示略の給電部が設けられている。
【００６５】
各保管庫１２１〜１２５には、それぞれを個別に閉鎖状態でロックする電磁式の図２に示す保管庫ロック機構１２７が設けられており、この保管庫ロック機構１２７は、ロック解除信号が入力されると図１に示す保管庫１２１〜１２５の対応するものが開放可能となるようにロックを解除する一方、ロック信号が入力されると保管庫１２１〜１２５の対応するものを閉鎖状態で開作動不可にロックする。現金管理装置４を保管する保管庫１２４（ａ）用の保管庫ロック機構１２７は、扉１２６を閉鎖状態でロックしたり、扉１２６を開放可能となるようにロックを解除したりする。閉鎖状態で保管庫ロック機構１２７にロックされた扉１２６は、保管庫１２４（ａ）内に保管された現金管理装置４への操作者のアクセスを規制する。
【００６６】
各保管庫１２１〜１２５には、それぞれの開閉鎖状態を検出する図２に示す開閉検知センサ１２８と、それぞれの状態を点灯状態によって示すＬＥＤランプからなる状態表示部１２９とが設けられている。保管庫１２４（ａ）には、これが現金管理装置４を収納しているか否かを検知する保管検知センサ１３０が設けられている。
【００６７】
また、重要物管理金庫３は、図１に示すように前面側に、操作者により操作入力が行われるタッチパネル式の管理金庫操作表示部１３５と、管理金庫カードリーダ１３６（識別情報入力手段）とが設けられている。管理金庫操作表示部１３５は、操作者により操作入力が行われると共に操作者に表示を行うものである。管理金庫カードリーダ１３６は操作者により通されたＩＤカードからその記憶データである操作者ＩＤを読み取るものであり、言い換えれば、カードを介してその記憶データである操作者ＩＤが入力されるものである。重要物管理金庫３におけるＩＤ認証も、ＩＤカードから操作者ＩＤを入力させる以外の種々のＩＤ認証を採用することができる。
【００６８】
重要物管理金庫３は、内部に重要物管理金庫３の各部を制御する図２に示す管理金庫制御部１３７と、重要物管理金庫３の各保管庫１２１〜１２５内に保管される貨幣類の在高データ等を記憶する管理金庫記憶部１３９とを内蔵する一つの図１に示す管理金庫制御ユニット１４０を有している。この管理金庫制御ユニット１４０は、管理金庫操作表示部１３５、管理金庫カードリーダ１３６、管理金庫制御部１３７および管理金庫記憶部１３９を一体に有してコンポーネント化されており、保管庫１２５の下側に配置されている。管理金庫制御部１３７は、管理金庫操作表示部１３５への入力に基づいて重要物管理金庫３内に保管される貨幣類の在高データ等を管理金庫記憶部１３９に記憶させる。
【００６９】
重要物管理金庫３は、管理金庫制御ユニット１４０と、複数個の保管庫１２１〜１２５の適宜のものとが、前面を揃えた状態で、隣り合うもの同士が図示略の連結具で連結されることで、正面視矩形状に組み上げられることになる。その際に、重要物管理金庫３は、後面側に設けられた通信ケーブルで、各保管庫１２１〜１２５と管理金庫制御ユニット１４０とが通信可能に接続されている。重要物管理金庫３の後面側には、通信ケーブルを覆うカバーが取り付けられている。
【００７０】
上記のようにして組み立てられた重要物管理金庫３が後面を壁に近接させて例えば執務室のフロア上に設置されることになり、これにより、重要物管理金庫３の管理金庫制御ユニット１４０の前面および複数個の保管庫１２１〜１２５の前面が執務室の室内側に向いて設置されることになる。
【００７１】
図１に示す出納機２は、被管理物のうちの紙幣、硬貨および金券等の貨幣類を取り扱うもので、金融機関等の店舗に設置されて店舗全体の貨幣処理を管理するものである。出納機２は、例えば、大口顧客に対する係員による入金、出金等の取引処理、係員による渉外先への持ち出し金の出金処理や、渉外先からの持ち帰り金の入金処理、さらには、営業終了後の金融機関店舗全体での入出金状況の締め上げ管理等を行うものである。
【００７２】
出納機２は、紙幣についての入出金処理等を行う紙幣処理装置１５５と、紙幣の特に新券についての出金処理等を行う新券処理装置１５６と、硬貨についての入出金処理等を行う硬貨処理装置１５７とが左右に並設されて構成されている。
【００７３】
紙幣処理装置１５５は、その前面側の上部に、機外からバラ紙幣が投入されると共に機内から出金用のバラ紙幣が繰り出されるバラ紙幣入出金口１６０が設けられている。バラ紙幣入出金口１６０の下側には、入金処理で受け付け不可と判定された入金リジェクト紙幣が機内から繰り出される入金リジェクト口１６１が設けられている。バラ紙幣入出金口１６０よりも上側には、機内でバラ紙幣を所定枚数集積して結束してなる小束紙幣を機外に取り出し可能とする束出金口１６２が設けられている。
【００７４】
新券処理装置１５６には、その前面側の上部に、機内から出金用の新券のバラ紙幣が繰り出される新券出金口１６５が設けられている。
【００７５】
硬貨処理装置１５７は、その前面側の上部に、機外からバラ硬貨が投入されるバラ硬貨入金口１６８が設けられている。バラ硬貨入金口１６８の下側には、入金処理で受け付け不可と判定された入金リジェクト硬貨が機内から繰り出される入金リジェクト口１６９が設けられている。入金リジェクト口１６９の下側には、機内から出金用のバラ硬貨が繰り出されるバラ硬貨出金口１７０が設けられている。前面側の上部には、機内でバラ硬貨を所定枚数集積して包装してなる棒金硬貨を機外に取り出し可能とする棒金出金口１７１が設けられている。
【００７６】
出納機２は、硬貨処理装置１５７の上部に、タッチパネル式の出納機操作表示部１７５と、出納機キー操作部１８１と、出納機カードリーダ１８２とを有している。出納機操作表示部１７５は、操作者により操作入力が行われると共に操作者に表示を行うものであり、出納機キー操作部１８１は、操作者により操作入力が行われるものである。出納機カードリーダ１８２は、操作者により通されたＩＤカードから記憶データを読み取るものであり、言い換えれば、カードを介してその記憶データである記憶データが入力されるものである。出納機２は、図２に示すように、出納機２の各部を制御する出納機制御部１７７と、出納機２内の在高データおよび店舗内の在高データ等を記憶する出納機記憶部１７９とを有している。
【００７７】
出納機２は、その出納機制御部１７７が、この出納機２が管理対象とする現金管理装置４の現金管理制御部２５と通信可能であり、この出納機２が管理対象とする窓口機７との間で通信であり、この出納機２が管理対象とする現金自動預払機８と通信可能であり、この出納機２が管理対象とする両替機９と通信可能である。また、出納機制御部１７７は、この出納機２と同じ店舗内に設けられた重要物管理金庫３の管理金庫制御部１３７と通信可能である。
【００７８】
出納機２は、その出納機制御部１７７が、管理在高データとして、これが設けられた出納機２の出納機在高データと、この出納機２と同じ店舗内に設けられた重要物管理金庫３の管理金庫在高データとを出納機記憶部１７９に記憶させており、これら出納機在高データと管理金庫在高データとを管理する。また、出納機２は、その出納機制御部１７７が、管理在高データとして、この出納機２と同じ店舗内に設けられた現金管理装置４の管理装置在高データと、この出納機２が管理対象とする窓口機７の窓口機在高データと、この出納機２が管理対象とする現金自動預払機８のＡＴＭ在高データと、この出納機２が管理対象とする両替機９の両替機在高データとを出納機記憶部１７９に記憶させており、これらの管理装置在高データと窓口機在高データとＡＴＭ在高データと両替機在高データとを管理する。出納機制御部１７７は、出納機在高データと管理金庫在高データと管理装置在高データと窓口機在高データとＡＴＭ在高データと両替機在高データとを区別しつつ関連データとして管理する。これにより、出納機２は、店舗内のすべての管理対象機器の貨幣類の在高データを一元管理するようになっている。
【００７９】
出納機２においても、現金管理装置４用の上記した入出取引のデータを作成可能となっている。まず、出納機カードリーダ１８２にＩＤカードが通されると、出納機カードリーダ１８２にはＩＤカードから操作者ＩＤが入力されることになり、出納機カードリーダ１８２は、この操作者ＩＤを出納機制御部１７７に出力する。すると、出納機制御部１７７が、入力された操作者ＩＤが出納機記憶部１７９に記憶された出納機操作者ＩＤリストにあって適正であるか、出納機操作者ＩＤリストになく適正でないかを判定する。入力された操作者ＩＤが適正であると、この操作者ＩＤを認証し、その場合、出納機操作表示部１７５に現金管理装置の入出取引のメニューを表示させる。この入出取引のメニューが選択されると、出納機制御部１７７は、入出取引のデータ入力を促す表示を、出納機操作表示部１７５に表示させる。これを見た操作者によって出納機操作表示部１７５にデータ入力が行われると、出納機制御部１７７は、この入出取引のデータを出納機記憶部１７９に記憶させると共に、この入出取引のデータを含む貨幣処理指令信号を現金管理装置４の現金管理制御部２５に送信する。つまり、出納機２が現金管理装置４に貨幣処理指令信号を出力する。出納機２におけるＩＤ認証も、ＩＤカードから操作者ＩＤを入力させる以外の種々のＩＤ認証を採用することができる。
【００８０】
入出取引のデータを含む貨幣処理指令信号を受信すると、現金管理制御部２５は、現金管理操作表示部１６に完了操作の入力を促す表示を表示させ、完了操作が入力されると、この入出取引のデータを現金管理記憶部２６に記憶させる。以後、現金管理制御部２５は、受信した貨幣処理指令信号に含まれる入出取引のデータに基づいて、上記と同様に貨幣の取り出しおよび収納が可能になり、この入出取引の終了を判定するまでの入出取引が可能となる。その際に、現金管理制御部２５は、現金管理カードリーダ１７でのＩＤカードの認証を不要とすることができる。または、完了操作の入力前に、現金管理カードリーダ１７に入力された操作者ＩＤが現金管理記憶部２６に記憶された管理装置操作者ＩＤリストにあって適正であるか、管理装置操作者ＩＤリストになく適正でないかを判定し、入力された操作者ＩＤが適正であってこの操作者ＩＤを認証した場合に、完了操作の入力が可能となるようにしても良い。管理装置操作者ＩＤリストに、上記した入出取引のデータを作成した操作者よりも上席者のみを記載しても良い。
【００８１】
出納機２から入出取引のデータを含む貨幣処理指令信号を受信した現金管理装置４が重要物管理金庫３の保管庫１２４（ａ）に保管されている場合、現金管理装置４から貨幣の取り出しおよび収納を行う操作者は、重要物管理金庫３に行って、管理金庫カードリーダ１３６にＩＤカードを通す。すると、ＩＤカードから管理金庫カードリーダ１３６に操作者ＩＤが入力され、管理金庫カードリーダ１３６は、この入力された操作者ＩＤを管理金庫制御部１３７に出力する。これを受けて、管理金庫制御部１３７は、入力された操作者ＩＤが管理金庫記憶部１３９に記憶された、保管庫１２４（ａ）を開放可能な操作者ＩＤを含む管理金庫許可者ＩＤリストにあって適正であるか、この管理金庫許可者ＩＤリストになく適正でないかを判定する。入力された操作者ＩＤが適正であると判定した場合、管理金庫制御部１３７は、入力された操作者ＩＤを認証し、保管庫１２４（ａ）の保管庫ロック機構１２７のロックを解除して扉１２６を開放可能な状態とすると共に、入力された操作者ＩＤをこの保管庫１２４（ａ）の開放時刻に関連付けたアクセス履歴を管理金庫記憶部１３９に記憶させる。つまり、重要物管理金庫３は、管理金庫カードリーダ１３６に入力された操作者ＩＤの認証後に扉１２６の開放が可能となる。
【００８２】
保管庫１２４（ａ）の扉１２６が開放されると、そこに収納されている現金管理装置４の現金管理制御部２５は、既に貨幣処理指令信号を受信していることから現金管理操作表示部１６に完了操作の入力を促す表示を表示させている。よって、現金管理操作表示部１６に完了操作が入力されると、現金管理制御部２５は、既に受信している貨幣処理指令信号に含まれる入出取引のデータに基づいて、上記と同様に貨幣の取り出しおよび収納が可能になり、この入出取引の終了を判定するまでの入出取引が可能となる。
【００８３】
ここで、保管庫１２４（ａ）の扉１２６が開放されると、現金管理装置４は、保管庫１２４（ａ）に収納された状態のまま移動なしで、現金管理操作表示部１６への操作入力と、すべての収納庫１２の前方への物理的な引き出しが可能となり、貨幣の取り出しおよび収納が可能となる。このため、操作者が現金管理装置４を保管庫１２４（ａ）から外に出すことなく、入出取引を行うことができる。入出取引を終了後、扉１２６が閉じられると、保管庫ロック機構１２７が保管庫１２４（ａ）の扉１２６を閉鎖状態でロックすることになる。さらに、セキュリティのため、管理金庫制御部１３７は、保管庫１２４（ａ）の扉１２６の開放状態が一定時間以上継続した場合にアラームを発生させたり、この保管庫１２４（ａ）の閉鎖時刻を上記アクセス履歴に関連付けて管理金庫記憶部１３９に記憶させるようにしてもよい。
【００８４】
以上の第１実施形態によれば、移動可能であって貨幣を取り出し可能に収納する現金管理装置４に、出納機２が貨幣処理指令信号を出力すると、現金管理装置４は貨幣処理指令信号に基づいて貨幣の取り出しおよび収納が可能になるが、重要物管理金庫３の扉１２６が閉鎖状態にあると、重要物管理金庫３に収納された現金管理装置４への操作者のアクセスが規制されることになる。重要物管理金庫３の管理金庫カードリーダ１３６に入力された操作者ＩＤが管理金庫制御部１３７で認証されると扉１２６の開放が可能となって、現金管理装置４への操作者のアクセスが可能となり、現金管理装置４の実際の貨幣の取り出しおよび収納が可能になる。このように、管理金庫カードリーダ１３６および管理金庫制御部１３７が操作者ＩＤを認証するため、セキュリティ性を確保することができる。
【００８５】
また、重要物管理金庫３が、管理金庫カードリーダ１３６および管理金庫制御部１３７で認証した操作者ＩＤを管理金庫記憶部１３９に記憶することになるため、セキュリティ性をより確保することができる。つまり、管理金庫記憶部１３９に記憶された重要物管理金庫３へのアクセス履歴から重要物管理金庫３に収納されている現金管理装置４にアクセスした操作者を特定できるため、セキュリティ性をより確保することができる。
【００８６】
また、重要物管理金庫３の管理金庫カードリーダ１３６および管理金庫制御部１３７で操作者ＩＤを認証させれば、扉１２６を開放して現金管理装置４へアクセスできるため、現金管理装置４での操作者ＩＤの認証等の面倒な操作を減らすことができ、利便性を高くすることができる。あるいは、認証処理の重複にはなるが、現金管理装置４での操作者ＩＤの認証を行うようにすれば、よりセキュリティの高い運用が可能になる。
【００８７】
また、重要物管理金庫３は、建屋とは別体であって現金管理装置４を取り出し可能に保管するものであるため、建屋に金庫室がなくても高いセキュリティ性で現金管理装置４を保管することができる。したがって、低コスト化が図れる。
【００８８】
また、重要物管理金庫３に収納された現金管理装置４は、重要物管理金庫３の扉１２６が開かれると重要物管理金庫３に収納された状態のままでも操作者による貨幣の取り出しおよび収納が可能となるため、出納機２による貨幣処理指令信号の出力後に、重要物管理金庫３の管理金庫カードリーダ１３６および管理金庫制御部１３７で操作者ＩＤを認証させて扉１２６を開ければ、現金管理装置４を取り出さなくても貨幣処理指令信号に基づいた貨幣の取り出しおよび収納が可能になる。よって、例えば、繁忙期には、現金管理装置４を重要物管理金庫３から取り出して出納機２の近くで使用する一方、閑散期には、重要物管理金庫３に収納した状態のまま使用すること等ができる。したがって、より利便性を高くすることができる。
【００８９】
［第２実施形態］
本発明の第２実施形態に係る貨幣処理システムを図１〜図６を参照して第１実施形態との相違部分を中心に以下に説明する。
【００９０】
第２実施形態においても、出納機２で、現金管理装置４用の上記した入出取引のデータを作成する際に、出納機カードリーダ１８２にＩＤカードから操作者ＩＤが入力され、これを出納機制御部１７７が認証した場合に限り、出納機操作表示部１７５に入出取引のデータ入力が行われることになる。そして、出納機制御部１７７は、入力された入出取引のデータを出納機記憶部１７９に記憶させると共に、この入出取引のデータを含む貨幣処理指令信号を現金管理装置４の現金管理制御部２５に送信する。その際に、第２実施形態の出納機制御部１７７は、重要物管理金庫３の保管庫１２４（ａ）を開放可能な操作者を示す許可者ＩＤ（許可者識別情報）を重要物管理金庫３の管理金庫制御部１３７に送信する。つまり、出納機２は、現金管理装置４に貨幣処理指令信号を出力する際に、許可者ＩＤを重要物管理金庫３に送信する。
【００９１】
許可者ＩＤを受信すると、管理金庫制御部１３７は、この許可者ＩＤを管理金庫記憶部１３９に記憶させる。許可者ＩＤは、例えば、出納機２で現金管理装置４の入出取引のデータを作成する際に出納機カードリーダ１８２および出納機制御部１７７で認証された操作者ＩＤが設定される。なお、この認証された操作者ＩＤとは別の操作者ＩＤを、出納機２で現金管理装置４用の入出取引のデータを作成する際に許可者ＩＤに設定することも可能である。許可者ＩＤとして、現金管理装置４用の入出取引のデータを作成した操作者よりも上席者の操作者ＩＤを設定しても良いし、認証された操作者ＩＤと上席者の操作者ＩＤのように複数の操作者ＩＤを設定することもできる。
【００９２】
出納機２から入出取引のデータを含む貨幣処理指令信号を受信した現金管理装置４が重要物管理金庫３の保管庫１２４（ａ）に保管されている場合、現金管理装置４から貨幣の取り出しおよび収納を行う操作者は、重要物管理金庫３に行って、管理金庫カードリーダ１３６にＩＤカードを通す。すると、ＩＤカードから管理金庫カードリーダ１３６に操作者ＩＤが入力され、管理金庫カードリーダ１３６は、この入力された操作者ＩＤを管理金庫制御部１３７に出力する。管理金庫制御部１３７は、この操作者ＩＤが、管理金庫記憶部１３９に記憶された上記の許可者ＩＤと一致して適正であるか、許可者ＩＤと不一致で適正でないかを判定する。入力された操作者ＩＤが適正である場合に、管理金庫制御部１３７は、この操作者ＩＤを認証して、保管庫１２４（ａ）の保管庫ロック機構１２７のロックを解除して扉１２６を開放可能な状態とする。つまり、重要物管理金庫３は、管理金庫カードリーダ１３６に入力された操作者ＩＤが許可者ＩＤである場合に、扉１２６の開放が可能となる。ここで、出納機２で現金管理装置４の入出取引のデータを作成する際に出納機カードリーダ１８２および出納機制御部１７７で認証された操作者ＩＤが許可者ＩＤに設定されている場合、出納機２で現金管理装置４の入出取引のデータを作成した操作者が、重要物管理金庫３の保管庫１２４（ａ）の扉１２６を開放可能となる。
【００９３】
保管庫１２４（ａ）の扉１２６を開放すると、そこに収納されている現金管理装置４の現金管理制御部２５は、既に貨幣処理指令信号を受信していることから現金管理操作表示部１６に完了操作の入力を促す表示を表示させている。よって、現金管理操作表示部１６に完了操作が入力されると、現金管理制御部２５は、既に受信している貨幣処理指令信号に含まれる入出取引のデータに基づいて、上記と同様に貨幣の取り出しおよび収納が可能になり、この入出取引の終了を判定するまでの入出取引が可能となる。
【００９４】
ここで、出納機２から許可者ＩＤを現金管理装置４にも送信するようにして、完了操作の入力前に、現金管理カードリーダ１７に入力された操作者ＩＤが、この許可者ＩＤと一致して適正であるか、許可者ＩＤと一致せず適正でないかを判定し、入力された操作者ＩＤが適正であって、この操作者ＩＤを認証した場合に、完了操作の入力が可能となるようにしても良い。
【００９５】
保管庫１２４（ａ）の扉１２６が開放されると、現金管理装置４は、保管庫１２４（ａ）に収納された状態のまま、現金管理操作表示部１６への操作入力と、すべての収納庫１２の前方への物理的な引き出しが可能となり、貨幣の取り出しおよび収納が可能となる。勿論、現金管理装置４は、保管庫１２４（ａ）から引き出されても、現金管理操作表示部１６への操作入力と、すべての収納庫１２の前方への物理的な引き出しが可能となり、貨幣の取り出しおよび収納が可能となる。
【００９６】
以上の第２実施形態によれば、出納機２が、現金管理装置４に貨幣処理指令信号を出力する際に、重要物管理金庫３に許可者ＩＤを送信することになり、重要物管理金庫３は、管理金庫カードリーダ１３６に入力された操作者ＩＤが許可者ＩＤである場合に、扉１２６の開放が可能となる。よって、セキュリティ性をより高めることができる。
【００９７】
第２実施形態において、現金管理装置４が複数あって、現金管理装置４を一台ずつ保管する保管庫１２４（ａ）が複数ある場合には、出納機２で、所定の装置ＩＤの現金管理装置４用の上記した入出取引のデータを作成すると、作成した入出取引のデータを、この装置ＩＤを有する現金管理装置４の現金管理制御部２５に送信すると共に、重要物管理金庫３の管理金庫制御部１３７に、この装置ＩＤと許可者ＩＤとを送信する。装置ＩＤと許可者ＩＤを受信すると、管理金庫制御部１３７は、この装置ＩＤと許可者ＩＤとを関連付けて管理金庫記憶部１３９に記憶させる。
【００９８】
そして、現金管理装置４から貨幣の取り出しおよび収納を行う操作者は、重要物管理金庫３に行って、管理金庫カードリーダ１３６にＩＤカードを通す。すると、ＩＤカードから管理金庫カードリーダ１３６に操作者ＩＤが入力され、管理金庫カードリーダ１３６は、この入力された操作者ＩＤを管理金庫制御部１３７に出力する。これを受けて、管理金庫制御部１３７は、入力された操作者ＩＤが管理金庫記憶部１３９に記憶された、上記の許可者ＩＤと一致して適正であるか、許可者ＩＤと不一致で適正でないかを判定する。入力された操作者ＩＤが適正である場合、管理金庫制御部１３７は、この許可者ＩＤと関連する装置ＩＤの現金管理装置４を保管している保管庫１２４（ａ）の保管庫ロック機構１２７のロックを解除してその扉１２６を開放可能な状態とする。現金管理装置４が複数ある場合に、重要物管理金庫３に収納した状態のまま貨幣の取り出しおよび収納が行われる現金管理装置４と、重要物管理金庫３から取り出されて例えば出納機２の近くに移動させられて貨幣の取り出しおよび収納が行われる現金管理装置４とを使い分けることもできる。
【００９９】
［第３実施形態］
本発明の第３実施形態に係る貨幣処理システムを主に図７，図８を参照して第２実施形態との相違部分を中心に以下に説明する。
【０１００】
第３実施形態に係る貨幣処理システム１は、第２実施形態とは一部異なる出納機２と、第２実施形態とは一部異なる現金管理装置４とを有している。貨幣処理システム１には、建屋２００に設けられた金庫室２０２（規制手段）を有している。金庫室２０２は、現金管理装置４を取り出し可能に保管する。金庫室２０２は、現金管理装置４が出し入れされる出入口２０３を開閉する扉２０４（開閉部材）と、扉２０４を閉鎖状態でロックする金庫室ロック機構２０５とを有している。
【０１０１】
金庫室ロック機構２０５は、着脱可能な対応する鍵２１１で解錠操作されると扉２０４を開放可能となるようにロックを解除する一方、この鍵２１１で施錠操作されると扉２０４を閉鎖状態で開作動不可にロックする。現金管理装置４は、金庫室２０２に収納可能であり、閉鎖状態でロックされた金庫室２０２の扉２０４は、金庫室２０２内に保管された現金管理装置４への操作者のアクセスを規制する。
【０１０２】
第３実施形態に係る貨幣処理システム１は、扉２０４を開放可能な金庫室２０２用を含む複数の鍵２１１を管理する鍵管理装置２１５を有している。鍵管理装置２１５には、鍵２１１を装着状態でロックする鍵ロック機構２１６が設けられている。鍵ロック機構２１６は、給電されるとロックを解除してそれまで装着されていた鍵２１１の取り外しを許容する状態となる。また、鍵ロック機構２１６は、それまで装着されていた鍵２１１の取り外し後に給電が停止されることになり、その後は、対応する鍵２１１が装着されるとこれを取り外し不可に自動的かつ機械的にロックする。金庫室２０２用の鍵ロック機構２１６には、これに対応する金庫室２０２用の鍵２１１が装着される。
【０１０３】
鍵管理装置２１５には、タッチパネル式の鍵管理操作表示部２２１と、鍵管理カードリーダ２２２（識別情報入力手段）とが設けられている。鍵管理操作表示部２２１は、操作者により操作入力が行われると共に操作者に表示を行うものである。鍵管理カードリーダ２２２は、操作者により通されたカードの記憶データである操作者ＩＤを読み取るものであり、言い換えれば、カードを介してその記憶データである操作者ＩＤが入力されるものである。鍵管理装置２１５におけるＩＤ認証も、ＩＤカードから操作者ＩＤを入力させる以外の種々のＩＤ認証を採用することができる。鍵管理装置２１５は、内部に鍵管理装置２１５の各部を制御する鍵管理制御部２２３と、鍵管理装置２１５へのアクセス履歴等を記憶する鍵管理記憶部２２４とを有している。鍵管理制御部２２３は、出納機２の出納機制御部１７７と通信可能である。
【０１０４】
第３実施形態においても、出納機２で、現金管理装置４用の上記した入出取引のデータを作成する際に、ＩＤカードから出納機カードリーダ１８２に入力された操作者ＩＤを出納機制御部１７７が認証した場合に限り、出納機操作表示部１７５に、入出取引のデータ入力が行われることになる。そして、出納機制御部１７７は、入力された入出取引のデータを出納機記憶部１７９に記憶させると共に、この入出取引のデータを含む貨幣処理指令信号を現金管理装置４の現金管理制御部２５に送信する。その際に、第３実施形態の出納機制御部１７７は、許可者ＩＤを鍵管理装置２１５の鍵管理制御部２２３に送信する。つまり、出納機２が現金管理装置４に貨幣処理指令信号を出力する際に、許可者ＩＤを鍵管理装置２１５に送信する。
【０１０５】
許可者ＩＤを受信すると、鍵管理制御部２２３は、この許可者ＩＤを鍵管理記憶部２２４に記憶させる。許可者ＩＤは、例えば、出納機２で現金管理装置４の入出取引のデータを作成する際に出納機カードリーダ１８２および出納機制御部１７７で認証された操作者ＩＤが設定される。なお、この認証された操作者ＩＤとは別の操作者ＩＤを、出納機２で現金管理装置４の入出取引のデータを作成する際に許可者ＩＤに設定することも可能である。許可者ＩＤとして、上記した入出取引のデータを作成した操作者よりも上席者の操作者ＩＤを設定しても良いし、認証された操作者ＩＤと上席者の操作者ＩＤのように複数の操作者ＩＤを設定することもできる。
【０１０６】
出納機２から入出取引のデータを含む貨幣処理指令信号を受信した現金管理装置４が金庫室２０２に保管されている場合、現金管理装置４から貨幣の取り出しおよび収納を行う操作者は、まず、鍵管理装置２１５に行って、鍵管理カードリーダ２２２にＩＤカードを通す。すると、ＩＤカードから鍵管理カードリーダ２２２に操作者ＩＤが入力され、鍵管理カードリーダ２２２は、この入力された操作者ＩＤを鍵管理制御部２２３に出力する。これを受けて、鍵管理制御部２２３は、入力された操作者ＩＤが鍵管理記憶部２２４に記憶された、上記の許可者ＩＤと一致して適正であるか、許可者ＩＤと不一致で適正でないかを判定する。
【０１０７】
入力された操作者ＩＤが適正である場合、鍵管理制御部２２３は、金庫室２０２用の鍵２１１を保持する鍵ロック機構２１６のロックを解除して金庫室２０２用の鍵２１１を取り外し可能な状態とする。すると、操作者は、この金庫室用の鍵２１１を鍵管理装置２１５から取り外して金庫室２０２に行き、この鍵２１１で金庫室ロック機構２０５のロックを解除する。すると、金庫室２０２の扉２０４が開放可能となる。つまり、鍵管理装置２１５および金庫室２０２は、鍵管理カードリーダ２２２に入力された操作者ＩＤが許可者ＩＤである場合に、扉２０４の開放が可能となる。ここで、出納機２で現金管理装置４の入出取引のデータを作成する際に出納機カードリーダ１８２および出納機制御部１７７で認証された操作者ＩＤが許可者ＩＤに設定されている場合、出納機２で現金管理装置４の入出取引のデータを作成した操作者が、金庫室２０２の扉２０４を開放可能となる。
【０１０８】
金庫室２０２の扉２０４を開放すると、そこに収納されている現金管理装置４の現金管理制御部２５は、既に貨幣処理指令信号を受信していることから現金管理操作表示部１６に完了操作の入力を促す表示を表示させている。よって、現金管理操作表示部１６に完了操作が入力されると、現金管理制御部２５は、既に受信している貨幣処理指令信号に含まれる入出取引のデータに基づいて、上記と同様に貨幣の取り出しおよび収納が可能になり、この入出取引の終了を判定するまでの入出取引が可能となる。
【０１０９】
ここでも、出納機２から許可者ＩＤを現金管理装置４にも送信するようにして、完了操作の入力前に、現金管理カードリーダ１７に入力された操作者ＩＤが、この許可者ＩＤと一致して適正であるか、許可者ＩＤと一致せず適正でないかを判定し、入力された操作者ＩＤが適正である場合に、完了操作の入力が可能となるようにしても良い。金庫室２０２内にあって貨幣処理指令信号を受信している現金管理装置４は、金庫室２０２に収納された状態のまま、現金管理操作表示部１６への操作入力と、すべての収納庫１２の物理的な引き出しが可能となり、貨幣の取り出しおよび収納が可能となる。
【０１１０】
以上の第３実施形態によれば、出納機２が、現金管理装置４に貨幣処理指令信号を出力する際に、鍵管理装置２１５に許可者ＩＤを送信することになり、鍵管理装置２１５は、鍵管理カードリーダ２２２に入力された操作者ＩＤが、この許可者ＩＤである場合に、金庫室２０２の扉２０４の鍵２１１を取り外し可能となる。これにより、金庫室２０２の扉２０４の開放が可能となる。よって、より高いセキュリティ性で現金管理装置４を保管することができる。
【０１１１】
［第４実施形態］
本発明の第４実施形態に係る貨幣処理システムを主に図９を参照して第３実施形態との相違部分を中心に以下に説明する。
【０１１２】
第４実施形態に係る貨幣処理システム１は、第３実施形態とは一部異なる出納機２と、第３実施形態とは一部異なる現金管理装置４とを有している。現金管理装置４は、現金管理操作表示部１６（操作部）を覆う開閉部材であるカバー３０４と、カバー３０４を閉鎖状態でロックするカバーロック機構３０５とを有している。なお、カバー３０４およびカバーロック機構３０５に代えてまたはこれらと共に、現金管理キー操作部１８を覆う開閉部材であるカバー（図示略）およびカバーロック機構（図示略）を設けてもよい。現金管理操作表示部１６と現金管理キー操作部１８との両方にカバーおよびカバーロック機構を設ける場合には、これらのカバーロック機構を解錠する鍵を共通にしてもよいし、別々にすることもできる。
【０１１３】
カバーロック機構３０５は、着脱可能な対応する鍵３１１で解錠操作されるとカバー３０４を開放可能となるようにロックを解除する一方、この鍵３１１で施錠操作されるとカバー３０４を閉鎖状態で開作動不可にロックする。カバー３０４は、閉鎖状態でロックされると、現金管理装置４の現金管理操作表示部１６への操作者のアクセスを規制する。
【０１１４】
第４実施形態に係る貨幣処理システム１は、第３実施形態と同様の鍵管理装置２１５を有している。第４実施形態の鍵管理装置２１５は、カバー３０４用の鍵ロック機構２１６に、対応するカバー３０４用の鍵３１１が装着される。
【０１１５】
第４実施形態においても、出納機２で、現金管理装置４用の上記した入出取引のデータを作成する際に、出納機カードリーダ１８２にＩＤカードから入力された操作者ＩＤを出納機制御部１７７が認証した場合に限り、出納機操作表示部１７５に入出取引のデータ入力が行われることになる。そして、出納機制御部１７７は、入力された入出取引のデータを出納機記憶部１７９に記憶させると共に、この入出取引のデータを含む貨幣処理指令信号を現金管理装置４の現金管理制御部２５に送信する。その際に、第４実施形態の出納機制御部１７７は、許可者ＩＤを鍵管理装置２１５の鍵管理制御部２２３に送信する。つまり、出納機２が現金管理装置４に貨幣処理指令信号を出力する際に、許可者ＩＤを鍵管理装置２１５に送信する。
【０１１６】
許可者ＩＤを受信すると、鍵管理制御部２２３は、この許可者ＩＤを鍵管理記憶部２２４に記憶させる。許可者ＩＤは、例えば、出納機２で現金管理装置４の入出取引のデータを作成する際に出納機カードリーダ１８２および出納機制御部１７７で認証された操作者ＩＤが設定される。なお、この認証された操作者ＩＤとは別の操作者ＩＤを、出納機２で現金管理装置４の入出取引のデータを作成する際に許可者ＩＤに設定することも可能である。許可者ＩＤとして、上記した入出取引のデータを作成した操作者よりも上席者の操作者ＩＤを設定しても良いし、認証された操作者ＩＤと上席者の操作者ＩＤのように複数の操作者ＩＤを設定することもできる。
【０１１７】
出納機２から入出取引のデータを含む貨幣処理指令信号を受信した現金管理装置４から貨幣の取り出しおよび収納を行う操作者は、まず、鍵管理装置２１５に行って、鍵管理カードリーダ２２２にＩＤカードを通す。すると、ＩＤカードから鍵管理カードリーダ２２２に操作者ＩＤが入力され、鍵管理カードリーダ２２２は、この入力された操作者ＩＤを鍵管理制御部２２３に出力する。これを受けて、鍵管理制御部２２３は、入力された操作者ＩＤが鍵管理記憶部２２４に記憶された、上記の許可者ＩＤと一致して適正であるか、許可者ＩＤと不一致で適正でないかを判定する。
【０１１８】
入力された操作者ＩＤが適正である場合、鍵管理制御部２２３は、カバー３０４用の鍵ロック機構２１６のロックを解除してカバー３０４用の鍵３１１を取り外し可能な状態とする。すると、操作者は、このカバー３０４用の鍵３１１を鍵管理装置２１５から取り外して現金管理装置４に行き、この鍵３１１でカバーロック機構３０５のロックを解除する。すると、カバー３０４が開放可能となる。つまり、鍵管理装置２１５および現金管理装置４は、鍵管理カードリーダ２２２に入力された操作者ＩＤが許可者ＩＤである場合に、カバー３０４の開放が可能となる。ここで、出納機２で現金管理装置４の入出取引のデータを作成する際に出納機カードリーダ１８２および出納機制御部１７７で認証された操作者ＩＤが許可者ＩＤに設定されている場合、出納機２で現金管理装置４の入出取引のデータを作成した操作者が、現金管理装置４のカバー３０４を開放可能となる。
【０１１９】
現金管理装置４のカバー３０４を開放すると、現金管理装置４の現金管理制御部２５は、既に貨幣処理指令信号を受信していることから現金管理操作表示部１６に完了操作の入力を促す表示を表示させており、完了操作が入力されると、受信している貨幣処理指令信号に含まれる入出取引のデータに基づいて、上記と同様に貨幣の取り出しおよび収納が可能になり、この入出取引の終了を判定するまでの入出取引が可能となる。ここでも、出納機２から許可者ＩＤを現金管理装置４にも送信するようにして、完了操作の入力前に、現金管理カードリーダ１７に入力された操作者ＩＤが、この許可者ＩＤと一致して適正であるか、この許可者ＩＤと一致せず適正でないかを判定し、入力された操作者ＩＤが適正である場合に、完了操作の入力が可能となるようにしても良い。
【０１２０】
以上の第４実施形態によれば、出納機２が、現金管理装置４に貨幣処理指令信号を出力する際に、鍵管理装置２１５に許可者ＩＤを送信することになり、鍵管理装置２１５は、鍵管理カードリーダ２２２に入力された操作者ＩＤが、この許可者ＩＤである場合に、現金管理装置４の現金管理操作表示部１６を覆うカバー３０４の鍵３１１を取り外し可能とする。これにより、現金管理操作表示部１６を覆うカバー３０４の開放が可能となる。よって、簡素な構造でセキュリティ性を確保することができる。
【０１２１】
なお、変形例として、現金管理操作表示部１６を覆うカバー３０４を設けずに、第４実施形態の鍵管理装置２１５で取り外しが制御される鍵を、現金管理装置４へのアクセスを許可および規制する鍵としたり、鍵に代えて現金管理装置４へのアクセスを許可するカードの取り出しを鍵管理装置２１５で制御することも可能である。
【０１２２】
第３，第４実施形態において、鍵管理装置２１５が、鍵管理カードリーダ２２２に入力された操作者ＩＤが許可者ＩＤである場合に、鍵２１１，３１１を取り外し可能とするのではなく、鍵管理カードリーダ２２２に入力された操作者ＩＤが認証されると、鍵２１１，３１１を取り外し可能としても良い。
【符号の説明】
【０１２３】
１  貨幣処理システム
２  出納機（貨幣処理親機）
３  重要物管理金庫（規制手段，保管装置）
４  現金管理装置（貨幣処理子機）
１６  現金管理操作表示部（操作部）
１２６  扉（開閉部材）
１３６  管理金庫カードリーダ（識別情報入力手段）
２０２  金庫室（規制手段）
２０４  扉（開閉部材）
２１１，３１１  鍵
２１５  鍵管理装置（規制手段）
２２２  鍵管理カードリーダ（識別情報入力手段）
３０４  カバー（開閉部材）
【図１】
0006577379.tif 000002
【図２】
0006577379.tif 000003
【図３】
0006577379.tif 000004
【図４】
0006577379.tif 000005
【図５】
0006577379.tif 000006
【図６】
0006577379.tif 000007
【図７】
0006577379.tif 000008
【図８】
0006577379.tif 000009
【図９】
0006577379.tif 000010